【事件の表示】
　特願２０１３−５５７８６２「ファブリー病の治療用投薬レジメン」拒絶査定不服審判事件〔平成２４年　９月２０日国際公開、ＷＯ２０１２／１２５４０２、平成２６年１０月３０日国内公表、特表２０１４−５２８９０１〕について、次のとおり審決する。
【結　論】
　本件審判の請求は、成り立たない。
【理　由】
１．手続の経緯
　本願は、平成２４年３月８日（パリ条約による優先権主張　２０１１年３月１１日，２０１１年１２月２０日，２０１２年２月７日、いずれも（ＵＳ）アメリカ合衆国）を国際出願日とする出願であって、平成２７年３月９日受付けで手続補正がなされ、同年１２月１６日付けの拒絶理由通知に応答して平成２８年６月２２日受付けで手続補正書と意見書が提出されたが、同年１０月１７日付けで拒絶査定がなされ、これに対し、平成２９年３月１日に拒絶査定不服審判が請求されたものである。
　
２．本願発明
　本願請求項１〜１４に係る発明は、平成２８年６月２２日受付けの手続補正書で補正された特許請求の範囲の請求項１〜１４に記載された事項により特定されるとおりのものであり、そのうち請求項１に係る発明（以下、「本願発明」ともいう。）は、次のとおりのものである。
「　対象者におけるファブリー病の治療のための医薬であって、それを必要とする患者に投与するための約５０ｍｇ〜約６００ｍｇの１−デオキシガラクトノジリマイシンと有効量のα−Ｇａｌ Ａ酵素補充療法剤とを含み、１−デオキシガラクトノジリマイシンが、α−Ｇａｌ Ａ酵素補充療法剤の投与の最長約４時間前に投与され、α−Ｇａｌ Ａ酵素補充療法剤が、１−デオキシガラクトノジリマイシンに連続して投与される、医薬。」
　
３．原査定の拒絶の理由
　原査定の拒絶の理由（理由２）は、この出願の請求項１−１４に係る発明は、その出願前に日本国内又は外国において、頒布された刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない、というものであり、下記の刊行物１−４を引用するものである。
刊行物１　米国特許出願公開第２０１０／０２６６５７１号明細書（以下、「引用例２」という。）
刊行物２　特表２００６−５１６６４５号公報（以下、「引用例１」という。）
刊行物３　特表２００９−５３７１４９号公報（以下、「引用例３」という。）
刊行物４　特表２００３−５２８７９９号公報（以下、「引用例４」という。）
４．引用例１〜４の記載事項
　引用例１〜４には、（図面と共に）次の技術事項が記載されている。なお、図面の摘示は省略し、下線は当審で付したものであり、引用例２は英文のため翻訳文で示した。
　
［引用例１］
　（1-i）
「【請求項６２】
　
タンパク質補充を必要とする障害を有する個体を治療する
　前記個体に、
有効量の精製された野生型補充タンパク質と、有効量の、前記補充タンパク質に対する活性部位特異的シャペロンと、を含有する組成物を投与する
【請求項６３】
　前記
障害がファブリー病
　前記
補充タンパク質がα−ガラクトシダーゼＡ
　前記
活性部位特異的シャペロンが、１−デオキシガラクトノジリマイシン
　（1-ii）
「【００１３】
〔特異的シャペロン戦略〕
　従来の特許及び刊行物には、内因性の酵素タンパク質（具体的には、誤って折り畳まれたリソソーム酵素）をＥＲ品質管理機構による分解から救済する治療戦略が記載されている。この戦略では、特定のリソソーム障害に関連する欠陥リソソーム酵素に対して特異的な小分子の可逆的競合阻害剤を用いる。この戦略は、次のとおりである。
変異型酵素タンパク質はＥＲ内では誤って折り畳まれる
変異型タンパク質の正しいフォールディングを促進する機能性化合物は、変異型タンパク質に対する部位特異的シャペロンとして機能し、ＥＲ品質管理システムからの円滑な脱出を促進する
活性部位特異的シャペロン（ＡＳＳＣ）
【００１４】
　この戦略は、Fan らへ付与された米国特許第６，２７４，５９７号、第６，５８３，１５８号、第６，５８９，９６４号及び第６，５９９，９１９号、並びに２００２年１１月２６日に出願された係属中の米国特許出願第１０／３０４，３９６号において、リソソーム蓄積症に関与する酵素に関して具体的に明らかにされている。上記特許及び出願の内容はそのまま、レフファレンスとして本明細書に包含される。例えば、ガラクトースの小分子誘導体であり、変異型ファブリー酵素 
α−ガラクトシダーゼＡ（α−Ｇａｌ Ａ）
１−デオキシガラクトノジリマイシン（ＤＧＪ）
　（1-iii）
「【００９３】
　別の態様では、
補充タンパク質及びＡＳＳＣは別個の組成物で調製される
補充タンパク質は静脈内注入で、ＡＳＳＣは経口投与等の異なる経路で投与することができる。
　（1-iv）
「【０１０３】
  製剤に関して最もよく知られた問題の一つは、生体内活性の損失を生じさせる製剤の凝集である。賦形剤の添加は、このプロセスを緩和することができるが、これを完全に防止することはできない。活性の損失は物理的アッセイによって検出することができる場合もできない場合もあり、大きな（時には１５〜２０％の）変動係数を備えるバイオアッセイ又は力価アッセイでしか明白にならないので、実際の損失量を決定するのは困難である。
【０１０４】
  ＡＳＳＣは、酵素の分解及び酵素タンパク質の凝集を防止することによって酵素活性を強化することが明らかにされている（Fan ら，Nat. Med. 1999; 5:112-5; 図１）。ＡＳＳＣ及び補充タンパク質が同一組成物中に含まれる態様では、本発明の調製組成物は、無菌性を保持し、また、これは重要なことであるが、適正な流通及び保管中に補充タンパク質の活性を保護するのに適した容器で提供することができる。投与されたタンパク質をインビボで安定化させることに加えて、ＡＳＳＣは、インビトロでも補充タンパク質に可逆的に結合してそのコンフォメーションを安定化させ、それによって製剤の凝集及び分解を防止し、シェルフライフを延長させる。ＡＳＳＣ／補充タンパク質相互作用の分析結果は、例えば、示差走査熱量計、円偏向二色性等、当分野で周知の技術を用いて評価することができる。」
　（1-v）
「【０１１１】
　
投与の時機
補充タンパク質が静脈内投与される場合に、
シャペロンはタンパク質投与の０〜６時間前に投与してもよい
【０１１２】
　
ＡＳＳＣ及び補充タンパク質が個別に投与され
　（1-vi）
「【０１１７】
（
用量
　投与されたタンパク質及び内因性の変異型タンパク質を安定化させるために
有効なＡＳＳＣの用量は、当業者によってタンパク質及び対応するＡＳＳＣに応じて、個別的に決定することができる
補充タンパク質及びＡＳＳＣの両方の半減期（ｔ
ｌ／２
）、ピーク血漿濃度（ｃ
ｍａｘ
）、ピーク血漿濃度に達するまでの時間（ｔ
ｍａｘ
）、曲線下面積（ＡＵＣ）より求まる暴露量、及び組織分布、並びにＡＳＳＣ−補充タンパク質結合に関するデータ（親和性定数、結合及び解離定数、並びに結合価）等、薬物動態学的及び薬力学的データは、活性を阻害せずに補充タンパク質を安定化させ、その結果、治療効果を与えるのに必要な適合量を決定する、当分野で既知の通常の方法を用いて得ることができる
　（1-vii）
「【０１２５】
〔実施例１：ＡＳＳＣを用いたα−Ｇａｌ Ａのインビトロ安定化〕
　方法：  野生型α−Ｇａｌ Ａは、ヒト野生型α−Ｇａｌ Ａ ｃＤＮＡを有する組換えバキュロウイルスで感染させたＳｆ−９細胞の培地から精製し、変異型α−Ｇａｌ Ａは、ヒト変異型（Ｒ３０１Ｑ）α−Ｇａｌ Ａを過剰発現するトランスジェニックマウスの心臓のホモジネートとして収集した。これらのマウスには、実験前１週間、飲料水として０．５ｍＭ ＤＧＪを与えた。変異型酵素及び野生型酵素は各々、変異型酵素に対しては３７℃で、及び野生型酵素に対しては４２℃で、０．１Ｍクエン酸−リン酸緩衝液（ｐＨ７．０）中、濃度１μＭ、０．１μＭ、０．０３μＭのＤＧＪの存在下、又はＤＧＪの非存在下でプレインキュベートした。野生型及び変異型（Ｒ３０１Ｑ）α−ＧａｌＡは、ＤＧＪ（種々の濃度）の非存在又は存在下で、ある期間に渡ってインキュベートし、この混合液を５容積の０．１Ｍクエン酸緩衝液（ｐＨ４．５）を用いて希釈した後、基質として４−ＭＵ−α−Ｇａｌ Ａを用いて残留酵素活性を決定した。酵素活性は、プレインキュベーションを実施していない酵素に対する相対値で報告されている。
【０１２６】
　結果：  図１に示したように、変異酵素は、ＤＧＪ存在下のインキュベーションを行わずに、３７℃で２０分間、インキュベートした後は、中性ｐＨ下で安定性を示さなかった（図１Ａ）。野生型酵素もまた、ＤＧＪ存在下のインキュベーションを行わずに、４２℃でインキュベートすると、中性ｐＨ下で酵素活性を大きく損失した（図１Ｂ）。
両方の酵素の安定性は、濃度１μＭのＤＧＪを含めることによって改善することができた。すなわち、反応混合液中には、６０分間、８０％を超える酵素活性が維持された。これは、ＡＳＳＣ（ＤＧＪ）が、変異型及び野生型酵素の変性／分解を予防する安定剤として機能することができることを示している
【０１２７】
〔実施例２：ＡＳＳＣを用いた野生型α−Ｇａｌ Ａの細胞内強化〕
　方法：  組換えバキュロウイルスを用いてトランスフェクトした昆虫細胞又は組換えＣＨＯ細胞から精製したヒト野生型α−Ｇａｌ Ａは、従来の参考文献によれば、α−２−マクログロブリン（α−２−Ｍ）と複合体を形成することができる（Osada ら，Biochem Biophys Res Commun.1993; 142:100-6）。
コーヒー豆由来α−Ｇａｌとα−２−Ｍとの複合体は、ファブリー病ヘミ接合体由来の培養線維芽細胞によって細胞内へ取り込むことができるので、α−Ｇａｌ Ａ及びα−２−Ｍの複合体は同様に細胞によって細胞内へ取り込まれると考えられる
【０１２８】
　結果：  コーヒー豆α−Ｇａｌ Ａの半減期は、既に報告されているように約２時間である（Osada ら，Biochem Biophys Res Commun. 1987; 143:954-8）。α−Ｇａｌ Ａ−α−２−Ｍ複合体、又は培地に添加された
α−Ｇａｌ Ａの半減期は、培地中にＤＧＪを含めることによって延長させることができると考えられるが、それはＤＧＪがインビトロにおける酵素の安定化に有効であることが明らかにされているからである（図１）。これは、ＤＧＪが、細胞によって細胞内に取り込まれた外因性α−Ｇａｌ Ａの持続時間を延長することができることを示す
【０１２９】
〔実施例３：
補充酵素の注入によって治療されたファブリー病マウスへのＤＧＪの共投与
　ファブリー病に対する酵素補充療法は、上述したように Genzyme Corporation によって開発されてきた。
補充酵素の注入によって治療されたファブリー病ノックアウト（ＫＯ）マウスへのＤＧＪの共投与は、安定性、例えば、補充酵素のインビボ半減期を増加させるが、それはＡＳＳＣ ＤＧＪが酵素を安定化させて分解を防止するためである
ＤＧＪは、既に報告されているプロトコールに従って、野生型α−Ｇａｌ Ａの注入後にＫＯマウスへ経口投与される
ＤＧＪを摂取していないコントロールマウス、及びＤＧＪだけを摂取して酵素を摂取していないマウスからのα−Ｇａｌ Ａ活性と比較される。時間の延長は、ＡＳＳＣの共投与が酵素補充療法の有効性を改善することができることを示すものである
　
［引用例２］
　（2-i）
「112．　タンパク質ミスフォールディングに関連する疾患を治療する方法であって、
約75〜300mgの薬理学的シャペロンの1日用量
　113．〜116．　・・・略・・・
　117．　
疾患がファブリー病であり、薬理学的シャペロンが1-デオキシガラクトノジリマイシンであり、維持用量が2〜3日毎に約150mg
　118．　CerezymeＲ、
Fabrazyme
のさらなる療法と組み合わせて薬理学的シャペロンを投与する工程をさらに含む
　119．　約2〜約8日に
1回約75〜300mgの用量で薬理学的シャペロンを経口投与する
　120．　前記用量が150mgである、請求項119に記載の方法。
　121．　・・・略・・・
　122．　
前記疾患が、ファブリー病
　123．　
前記薬理学的シャペロンが、
1-デオキシガラクトノジリマイシン
　124．　
疾患がファブリー病であり、薬理学的シャペロンが1-デオキシガラクトノジリマイシンであり、用量が2~3日ごとに約150mgである
　125．　・・・略・・・
　126．　CerezymeＲ、
Fabrazyme
のさらなる療法と組み合わせて薬理学的シャペロンを投与する工程をさらに含む
　（2-ii）
「ファブリー病
　［0110］　
ファブリー病は、リソソーム酵素α−ガラクトシダーゼA（α-GAL）の欠損に起因するリソソーム蓄積障害である
　［0112］GCaseに対するIFGと同様に、
DGJは、α-GALの活性部位に結合し、in vitroおよびin vivoでその活性を増加させることが示された
　（2-iii）
「ファブリー病のためのモデル投薬レジメンに適用される理由
　［0147］　上述したモデルは、他の酵素のための他の特異的な薬理学的シャペロンのための投与計画を推定するに容易に適用可能である。先に示したように、
1-デオキシガラクトノジリマイシン塩酸塩（DGJ）の使用のためのシャペロンとして α -ガラクトシダーゼA（α -Gal A）をファブリー病の治療において、臨床試験で評価されつつある
　［0148］　複数回用量第I相試験が実施され、８人の被験者からなる２つのグループに分け、合計１６人の健康なボランティアから構成されていた。各グループ内の６人の被験者はDGJを受け、２人の被験者はプラセボを投与された。
1グループ内のすべての被験者は、7日間1日2回、プラセボまたは50mgを受け、もう一方のグループ内のすべての被験者は、7日間1日2回、プラセボまたは150mgを受け
　［0149］　複数回用量第I相試験からのデータは、
７日間DGJの投与を受けた健常なボランティアの白血球中のα-GALレベルの用量依存的増加を示した
　［0150］　DGJおよび野生型α-GALを用いたインビトロとインビボでの動物及び第I相試験の結果として、（150mgのDGJ塩酸塩の経口投与後に ）次のPK及びPDの情報が得られた。
　　　
　　　　　　　　表4　　　　　　　　
　　　
　　　　　　血漿PKとPD　　　　　　
　　　Cmax （μ M ）　　　　　　　　　9
　　　TMAX （時間）　　　　 　　　　　3
　　　
半減期（時間
3
　　　Ki （μM ）　　　　　　　　　　 0.04
　　　EC50（μM ）（細胞）　　　　　　0.4
　　　IC50（μM ）（精製酵素）　　　　0.4
　[0151]　
 DGJがIFGよりもはるかに短い血漿半減期を持っている
一例として、２８日間１日おきに150mgのDGJを投与すると、
　（2-iv）
「［0179］　ファブリー病。　・・・略・・・
　［0180］　本実施の形態では、
薬理学的シャペロンの第１期の日用量（例えば、DGJ塩酸塩） は、一日あたり約200mg〜約500mg、または一日あたり約250mg〜約300mgの範囲内、または一日あたり約250mgである
　［0181］〜［0182］ ・・・略・・・
　［0183］　これらの実施形態において、維持投与量は
一用量当たり約75mg〜約225 mg、又は、一用量当たり約100mg〜約200mgの範囲内にあり、具体的実施形態では一用量当たり約150mgの範囲である
　［0184］　・・・略・・・
　［0185］　この実施形態では、初期酵素集積期、または
薬理シャペロン（例えば、ＤＧＪ塩酸塩）が毎日経口投与される投薬計画の第１期は、
薬理シャペロン（例えば、ＤＧＪ塩酸塩）の投入用量は１日あたり約200mg〜約500mg、または約250mg〜約300mg、または250mgであってよい
　［0186］　或いは、第１期は、約２週間〜約１２週間の期間、約４週間〜約８週間（例えば、約６週間）持続してよい。
薬理シャペロン（例えば、ＤＧＪ塩酸塩）の投入用量は、１日あたり約200mg〜約500mg、または１日あたり約250mg〜約300mgの範囲内、または１日あたり250mgであってよい
　［0187］〜［0193］　・・・略・・・
　［0194］　具体的な一例において、ファブリー病のための投薬計画は、連続３日間１日１回250mgまたは500mgのＤＧＪ塩酸塩の経口投与とそれに続く薬理シャペロン（すなわち、ＤＧＪ塩酸塩）を摂取しない４日間を必要とする可能性がある。或いは、投薬計画は、連続７日間１日１回２５０または５００ｍｇの薬理シャペロン（例えば、ＤＧＪまたはＤＧＪ塩酸塩）とそれに続く薬理シャペロンを摂取しない７日間で構成されていてよい。
　［0195］　・・・略・・・」（段落［0179］〜［0195］）
　
［引用例３］
　（3-i）「【０００２】
技術分野
　本発明は、
ファブリー病に罹っている患者が、特異的な薬理的シャペロン（specific pharmacological chaperone）による治療の利益を得るか否かを決定するための方法を提供する
1-デオキシガラクトノジリマイシン等の薬理的シャペロンに対するα-ガラクトシダーゼA応答性を決定する
　（3-ii）【００３５】
II. インビボアッセイ
　第二の態様においては、WBCを、インビボでのSPCによるα-GALの増強につき評価する。この態様においては、ベースライン値を得るために、SPCの投与前に、患者由来のWBC中のα-GAL活性を評価する。次いで、患者に、
毎日DGJ(例えば、150mg/日)を、十分な期間、例えば約10日〜約2週間投与
  該
インビボ評価期間中の、DGJ投与の用量および投与様式は、患者に応じて(突然変異には極めて高い不均一性があるので)、また該患者の残留α-GAL活性に応じて変えることができる
α-GALを高めるのに、十分であると予想される：25mg(2回/日(b.i.d)); 50mg(1回/日); 50mg(b.i.d.); 50mg(一日おきに1回); 75mg(1回/日); 75mg(b.i.d.); 100mg(1回/日); 100mg(b.i.d.); 150mg(1回/日); 150mg(b.i.d.); 150mg(一日おきに1回); 250mg(1回/日); 250mg(b.i.d.)および250mg(一日おきに1回)。特別な態様においては、該用量は、50mg(1回/日); 50mg(一日おきに1回); 150mg(1回/日); 150mg(一日おきに1回)
【００３６】
　本発明によるDGJの投与剤は、任意の投与経路に適した処方状態にあるが、経口投与剤形、例えば錠剤、カプセルまたは溶液として、経口経路で投与されることが好ましい。一例として、患者には、各々25mg、50mg、75mgまたは100mgまたはその組合せを含むカプセルが経口投与される。　・・・後略。」（段落【００３５】〜【００３６】）
　
［引用例４］
　（4-i）「【請求項１】２，５−ジデオキシ−２，５−イミノ−Ｄ−マンニトール、３，４−ｄｉｅｐｉ−α−ホモノジリマイシン(homonojirimaycin)、５−Ｏ−α−Ｄ−ガラクトピラノシル−α−ホモノジリマイシン、
１−デオキシガラクトノジリマイシン
有効量の化合物を投与することを含んでなる、哺乳動物細胞中のリソソームα−ガラクトシダーゼＡの活性を増大する方法
　（4-ii）「【０００７】
　また、本発明の更なる目的は、哺乳動物細胞中の、特にヒト細胞中のα−ＧａｌＡ活性を増大する方法を提供することである。本発明の方法は、
正常α−ＧａｌＡおよび変異α−ＧａｌＡの活性をともに増大するが、特にファブリ病のある形態に存在する変異α−ＧａｌＡの活性を増大する
　（4-iii）「【００１３】
　当業者は、本発明の方法で使用される
化合物の有効量は、日常的な実験操作によって決定することが可能である
好ましくは１日当たり０．５から１００ｍｇ／ｋｇ体重、最も好ましくは、１日当たり１から５０ｍｇ／ｋｇ体重であると推測される
　（4-iv）「【００１５】
　・・・略・・・。　
ＤＧＪは、１−デオキシ−ガラクトノジリマイシンである
　（4-v）「【００３５】
　実施例１０
　
１日当たり体重１キログラム当たり約３または３０ｍｇのＤＧＪ投薬量に対応する１週間の飲用源として０．０５または０．５ｍＭのＤＧＪ溶液を供給する
異型性変異型ファブリ患者で確認された
　
　
５．引用例１発明、対比、判断
（１）引用例１に記載された発明
　
　引用例１の摘示（1-i）には、
「　タンパク質補充を必要とする障害を有する個体を治療する方法であって、
　前記個体に、有効量の精製された野生型補充タンパク質と、有効量の、前記補充タンパク質に対する活性部位特異的シャペロンと、を含有する組成物を投与することを含む方法であり、
　前記障害がファブリー病であり、
　前記補充タンパク質がα−ガラクトシダーゼＡであり、
　前記活性部位特異的シャペロンが、１−デオキシガラクトノジリマイシン、α−アロ−ホモノジリマイシン、α−ガラクト−ホモノジリマイシン、α−１−Ｃ−ブチル−デオキシノジリマイシン、カリステジンＡ３、カリステジンＢ２、Ｎ−メチル−カリステジンＡ３及びＮ−メチル−カリステジンＢ２からなる群より選ばれる、方法。」
が記載されているところ、この方法で投与される組成物は「医薬」ということができる。
　したがって、引用例１には、この方法に係る「活性部位特異的シャペロン」についての選択肢について「１−デオキシガラクトノジリマイシン」を選択した場合の方法に係る医薬として、次の発明（以下、「引用例１発明」という。）が記載されていると認められる。
　
＜引用例１発明＞
　「ファブリー病を有する個体を治療する医薬であって、
　前記個体に、有効量の精製された野生型α−ガラクトシダーゼＡと、
　有効量の、前記α−ガラクトシダーゼＡに対する１−デオキシガラクトノジリマイシンと、
を含有する、医薬。」
　
（２）対比
　本願発明と引用例１発明とを対比する。
　なお、引用例１中での略号「ＤＧＪ」は、１−デオキシガラクトノジリマイシンのことを意味し、同じく略号「ＡＳＳＣ」は、活性部位特異的シャペロンのことを意味し、「α−Ｇａｌ Ａ」は、α−ガラクトシダーゼＡを意味する（摘示（1-ii）参照）。
　引用例１発明の医薬は、摘示（1-iii）の記載からみて、一剤として投与されるものに限られず、α−ガラクトシダーゼＡ、及び、１−デオキシガラクトノジリマイシンを別個の組成物として調製し、α−ガラクトシダーゼＡは静脈内注入で、１−デオキシガラクトノジリマイシンは経口で投与する等の、異なる経路で投与することもできるものであると認められる。
　引用例１発明の「ファブリー病を有する個体を治療する」は、本願発明の「対象者におけるファブリー病の治療のため」、「それを必要とする患者に投与する」に相当する。
　引用例１発明の「有効量の精製された野生型α−ガラクトシダーゼＡ」は、本願発明の「有効量のα−Ｇａｌ Ａ酵素補充療法剤」に相当する。
　
　そうすると、両発明は、
　「対象者におけるファブリー病の治療のための医薬であって、それを必要とする患者に投与するための１−デオキシガラクトノジリマイシンと有効量のα−Ｇａｌ Ａ酵素補充療法剤とを含む医薬」
である点で一致し、次の相違点Ａ，Ｂで一応相違している。
＜相違点＞
　Ａ．「１−デオキシガラクトノジリマイシン」の用量について、本願発明では、「約５０ｍｇ〜約６００ｍｇ」と特定しているのに対し、引用例１発明は「有効量」である点
　Ｂ．医薬の投与について、本願発明では、「１−デオキシガラクトノジリマイシンが、α−Ｇａｌ Ａ酵素補充療法剤の投与の最長約４時間前に投与され、α−Ｇａｌ Ａ酵素補充療法剤が、１−デオキシガラクトノジリマイシンに連続して投与される」とされているのに対し、引用例１発明ではそのような特定を有していない点
　
（３）判断
相違点Ａについて
　引用例１には、「１−デオキシガラクトノジリマイシン」についての用量は数値では記載されていないが、「１−デオキシガラクトノジリマイシン」を含むＡＳＳＣの用量について、個別的に決定されるものであること、補充タンパク質及びＡＳＳＣの両方の半減期（ｔｌ／２）、ピーク血漿濃度（ｃｍａｘ）、ピーク血漿濃度に達するまでの時間（ｔｍａｘ）、曲線下面積（ＡＵＣ）より求まる暴露量、及び組織分布、並びにＡＳＳＣ−補充タンパク質結合に関するデータ（親和性定数、結合及び解離定数、並びに結合価）等、薬物動態学的及び薬力学的データは、活性を阻害せずに補充タンパク質を安定化させ、その結果、治療効果を与えるのに必要な適合量を決定する、当分野で既知の通常の方法を用いて得ることができること、が記載されている（摘示（1-vi）参照）。
　また、ファブリー病等に対する「１−デオキシガラクトノジリマイシン」の用量について、引用例２には、酵素療法剤と併用する場合について、７５〜３００ｍｇ、１５０ｍｇ、２５０ｍｇ（摘示（2-i），（2-iii）、（2-iv）参照）等が記載されており、引用例３には、１５０mg（摘示（3-ii）参照）等が記載されており、引用例４には、３または３０ｍｇ／ｋｇ体重（摘示（4-iii）、（4-v）参照）等が記載されている。
　これらの記載を総合すると、５０ｋｇ体重では、概ね、７５ｍｇ〜１５００ｍｇが記載されていると認められる。
　そうすると、これらの記載に基づき引用例１の「有効量」を具体的に検討し、本願発明で採用する「約５０ｍｇ〜約６００ｍｇ」の範囲とする程度のことは、当業者であれば容易になし得ることであると認められる。
　また、「１−デオキシガラクトノジリマイシン」の用量を、「約５０ｍｇ〜約６００ｍｇ」と特定したことにより、そうでない場合と比較して、引用文献１〜４に基づき当業者が予測することができない効果が奏されているわけでもない。
　
相違点Ｂについて
　引用例１には、投与の時機について、「
補充タンパク質及びＡＳＳＣが個別製剤中に含まれる場合は、同時に投与してもよく、又はＡＳＳＣを補充タンパク質の前に、若しくは後に投与してもよい。例えば、補充タンパク質が静脈内投与される場合に、ＡＳＳＣは０〜６時間の時間以内、又はその後に投与してもよい。或いは、シャペロンはタンパク質投与の０〜６時間前に投与してもよい
　そうすると、引用例１発明は、医薬の投与について、「１−デオキシガラクトノジリマイシンが、α−Ｇａｌ Ａ酵素補充療法剤の投与の最長約４時間前に投与され、α−Ｇａｌ Ａ酵素補充療法剤が、１−デオキシガラクトノジリマイシンに連続して投与される」場合を選択肢として含んでいると認められるから、相違点Ｂは、実質的な相違点とはいえない。
　また、仮に実質的な相違点であるといえるとしても、当業者であれば、投与の時機について、「補充タンパク質及びＡＳＳＣが個別製剤中に含まれる場合は、同時に投与してもよく、又はＡＳＳＣを補充タンパク質の前に、若しくは後に投与してもよい。例えば、補充タンパク質が静脈内投与される場合に、ＡＳＳＣは０〜６時間の時間以内、又はその後に投与してもよい。或いは、シャペロンはタンパク質投与の０〜６時間前に投与してもよい。」という選択肢のなかから、「１−デオキシガラクトノジリマイシンが、α−Ｇａｌ Ａ酵素補充療法剤の投与の最長約４時間前に投与され、α−Ｇａｌ Ａ酵素補充療法剤が、１−デオキシガラクトノジリマイシンに連続して投与」する場合に限定することは適宜なし得ると認められる。
　相違点Ｂに係る発明特定事項を採用したことによって奏される効果について検討する。
　なお、後記に使われている用語「ＥＲＴ」は「酵素補充療法（剤）」のことであり、アガルシダーゼの投与を意味し、市販品として「FabrazymeＲ」が挙げられ（本願明細書段落【０００６】参照）、また、「ミガラスタット（塩酸塩）」は、ＤＧＪ、即ち，「１−デオキシガラクトノジリマイシン」の塩酸塩を意味する（同書段落【００２７】参照）。
　
　本願明細書には、３つの実施例が記載されている（段落【００４４】〜【０１３６】）ので、順次検討する。
　まず、実施例１について、「期間２：ミガラスタット塩酸塩の１５０ｍｇ経口用量、その２時間後にアガルシダーゼの静脈内注入開始；」（即ち、期間２において、１−デオキシガラクトノジリマイシンの塩酸塩の投与の２時間後にα−Ｇａｌ Ａ酵素補充療法剤の投与をしたこと）などの記載がある（段落【００５０】）が、手順などの説明が記載されているだけで、その結果が何も示されていない。
　したがって、実施例１は、本願発明の効果を確認できる内容を含んでいない。
　次に、実施例２（段落【００９９】〜【０１１４】）について、発明の詳細な説明には以下の記載がある。下線は、当審による。
「
方法。
  （１）アガルシダーゼベータ０．５ｍｇ／ｋｇ又は１．０ｍｇ／ｋｇ（約２時間注入）又はアガルシダーゼアルファ０．２ｍｇ／ｋｇ（約４０分間注入）酵素補充単剤療法（ｍｏｎｔｈｅｒａｐｙ）（ＥＲＴ）；
  （２）ＥＲＴ＋１５０ｍｇミガラスタット経口錠剤（単回用量）
同時投与
ＥＲＴの２時間前にミガラスタットを投与
  （３）１５０ｍｇミガラスタット単剤療法。
  ステージ２は、ステージ１と同じ順序の２つの期間（すなわち、期間（１）及び（２））から構成されたが、但し期間２で３×１５０ｍｇミガラスタット経口錠剤（すなわち４５０ｍｇミガラスタット）を同時投与した。ステージ２は、以下の２つの期間から構成された：
  （１）アガルシダーゼベータ０．５ｍｇ／ｋｇ又は１．０ｍｇ／ｋｇ（約２時間注入）又はアガルシダーゼアルファ０．２ｍｇ／ｋｇ（約４０分間注入）酵素補充単剤療法（ｍｏｎｔｈｅｒａｐｙ）（ＥＲＴ）；及び
  （２）ＥＲＴ＋４５０ｍｇミガラスタット経口錠剤の
同時投与
２時間前にミガラスタットを投与
「ステージ１の期間１及び期間２・・・期間２では、１５０ｍｇミガラスタットを、同用量のＥＲＴの開始
２時間前に同時投与した
「
結果：
ミガラスタットの同時投与により血漿α−Ｇａｌ−Ａ活性が増加する
  ＥＲＴ単独（期間１）と比べたミガラスタットとの同時投与（期間２）について、血漿α−Ｇａｌ  Ａ活性ＡＵＣ（曲線下面積）の以下の平均増加が観察された：」（段落【０１０５】）
「ミガラスタットと
同時投与
同時投与
「ミガラスタットによる皮膚α−Ｇａｌ−Ａ活性の増加
  ＥＲＴ単独（期間１）と比べたミガラスタットとの
同時投与
「０．５ｍｇ／ｋｇ又は１．０ｍｇ／ｋｇアガルシダーゼベータと１５０ｍｇミガラスタットとの
同時投与
「ミガラスタットによるＰＢＭＣ  α−Ｇａｌ−Ａ活性の増加
  ＥＲＴ単独（期間１）と比べたミガラスタットとの
同時投与
「０．５ｍｇ／ｋｇ又は１．０ｍｇ／ｋｇアガルシダーゼベータと１５０ｍｇミガラスタットとの
同時投与後
結論：
　７日目、４人の患者の皮膚で
同時投与後
　そうすると、実施例２は、その「方法」について、「（２）ＥＲＴ＋１５０ｍｇミガラスタット経口錠剤（単回用量）同時投与、ＥＲＴの２時間前にミガラスタットを投与」（段落【０１００】）と記載されていることから、期間（２）において同時投与、または、ＥＲＴの２時間前にミガラスタットの投与を行うものであり、ＥＲＴの２時間前にミガラスタットの投与を行うものは、本願発明の「「１−デオキシガラクトノジリマイシンが、α−Ｇａｌ Ａ酵素補充療法剤の投与の最長約４時間前に投与され、α−Ｇａｌ Ａ酵素補充療法剤が、１−デオキシガラクトノジリマイシンに連続して投与される」を満足するが、その結果及び結論（段落【０１０５】〜【０１１４】）に記載されているものは「同時投与」に関するもののみであって、２時間前投与に関する結果が一切記載されていない。
　したがって、実施例２は、本願発明の効果を確認できる内容を含んでいない。
　なお、仮に、「同時投与」が「ＥＲＴの２時間前にミガラスタットを投与」を指している用語であるとしても、実施例２は、「ＥＲＴ単独（期間１）」と比べて優位な結果が得られたというものであり、「ＥＲＴ単独（期間１）」は、引用例１発明に対応しない。
　そうすると、仮に、「同時投与」が「ＥＲＴの２時間前にミガラスタットを投与」を指しているとしても、実施例２は、引用例１発明と比較して本願発明において有利な効果を奏することに関する内容を含まない。
　実施例３（段落【０１１５】〜【０１３６】）について、発明の詳細な説明には以下の記載がある。下線は、当審による。
「本例の目的は、ファブリー病と診断された男性においてＥＲＴ（アガルシダーゼ）と
同時投与
「・期間２：ミガラスタットＨＣｌ（１５０ｍｇ）を経口投与、
その２時間後
「対象者は、ある回の注入でその現行の用量及びレジメンのアガルシダーゼベータ単独（０．５又は１．０ｍｇ／ｋｇで約２時間）の投与を受け、続いてその次回の注入でアガルシダーゼベータの２時間前にミガラスタットＨＣｌ  １５０ｍｇの経口投与を受ける。」
「期間２では、全ての患者がアガルシダーゼベータの開始
２時間前に
同時投与
「血漿α−Ｇａｌ  Ａ活性：・・・１．０ｍｇ／ｋｇアガルシダーゼベータと１５０ｍｇミガラスタットＨＣｌとの
併用治療により
アガルシダーゼベータ単剤療法による治療と比較して
「
結論
  １５０ｍｇミガラスタットの０．５ｍｇ／ｋｇ及び１．０ｍｇ／ｋｇアガルシダーゼベータとの相互作用により、血漿、皮膚、及びＰＢＭＣにおけるα−Ｇａｌ  Ａ活性の増加が得られた。１５０ｍｇミガラスタットＨＣｌとアガルシダーゼベータとの
同時投与
　そうすると、実施例３も、「・期間２：ミガラスタットＨＣｌ（１５０ｍｇ）を経口投与、
その２時間後
　したがって、実施例３も、本願発明の効果を確認できる内容を含んでいない。
　なお、仮に、「同時投与」が「ＥＲＴの２時間前にミガラスタットを投与」を指している用語であるとしても、実施例３は、「アガルシダーゼベータ単剤療法」と比べて優位な結果が得られたというものであり、「アガルシダーゼベータ単剤療法」は、引用例１発明に対応しない。
　そうすると、仮に、「同時投与」が「ＥＲＴの２時間前にミガラスタットを投与」を指しているとしても、実施例３は、引用例１発明と比較して本願発明において有利な効果を奏することに関する内容を含まない。
　
審判請求人の主張について
　審判請求人は、審判請求書（３頁１３行〜４頁１９行）において、
「しかしながら、審査官殿がご参照された、例えば引用文献２（当審注：引用例１に該当する。）の段落［０１１１］には、「投与の時機：補充タンパク質及びＡＳＳＣが個別製剤中に含まれる場合は、
同時に
その後に
前に
と主張している。
　しかしながら、段落【０１１１】は、「投与の時機：」との記載で始まるものであり、かつ、段落【０１０３】よりも後に記載されていることも踏まえると、段落【０１０３】の記載も踏まえた上で、引用例１発明の「投与の時機」に関してまとめた記載であると認められる。
　よって、引用例１発明の投与の時機は、「同時に」、「その後に」、「前に」のいずれも選択できると解すべきである。
　また、段落【０１２９】は、実施例３に関するものであるから、その記載内容は、実施例３に関するものあって、引用例１発明全体に関して説明している記載ではない。
　よって、審判請求人の主張は、採用できない。
　
　したがって、本願発明は、引用例１〜４に記載された発明に基いて、当業者が容易に発明をすることができたものである。
　
６．むすび
　以上のとおりであるから、本願請求項１に係る発明は、特許法第２９条第２項の規定により特許を受けることができない。
　したがって、本願は、その余の請求項について論及するまでもなく拒絶すべきものである。
　
　よって、結論のとおり審決する。